【手続補正書】
【提出日】平成27年8月25日(2015.8.25)
【手続補正１】
【補正対象書類名】特許請求の範囲
【補正対象項目名】全文
【補正方法】変更
【補正の内容】
【特許請求の範囲】
【請求項１】
フォーカスレンズを駆動範囲内で移動させて、設定された複数の焦点検出領域の合焦位置を示す複数の焦点評価値を検出する焦点検出手段と、
前記複数の焦点評価値に基づいて撮像画像に含まれる複数の被写体領域の被写体距離を算出する距離算出手段と、
前記撮像画像に変化があったか否かを検出する変化検出手段と、を有し、
前記距離算出手段は、前記変化検出手段により撮像画像の変化が検出された場合、前記フォーカスレンズを再度移動させて複数の被写体領域の被写体距離を再度算出し、
前記複数の被写体領域の被写体距離を再度算出するためのフォーカスレンズの駆動範囲は、前回算出された前記複数の被写体領域の被写体距離の分布に応じて決定され、
前記複数の被写体領域の被写体距離を再度算出するためのフォーカスレンズの駆動範囲は、前記前回算出された複数の被写体領域の被写体距離に対応する合焦位置を含む、
ことを特徴とする撮像装置。
【請求項２】
前記被写体距離を再度算出するとき、前記複数の被写体領域の被写体距離の差が第１の閾値より小さい場合のフォーカスレンズの駆動範囲は、前記複数の被写体領域の被写体距離の差が前記第１の閾値以上の第２の閾値より大きい場合のフォーカスレンズの駆動範囲よりも狭く設定されることを特徴とする請求項１に記載の撮像装置。
【請求項３】
前記被写体領域の検出が行われている場合のフォーカスレンズの駆動範囲は、前記被写体領域の検出が行われていない場合のフォーカスレンズの駆動範囲よりも狭く設定されることを特徴とする請求項１または請求項２に記載の撮像装置。
【請求項４】
前記複数の被写体領域の被写体距離に応じて被写体距離が異なる被写体領域を撮影画像から検出し、前記被写体領域に対して被写体距離に応じた画像処理を適用する制御手段をさらに有することを特徴とする請求項１から請求項３のいずれか１項に記載の撮像装置。
【請求項５】
フォーカスレンズを駆動範囲内で移動させて、撮像画像に設定された複数の焦点検出領域の合焦位置を示す複数の焦点評価値を検出する焦点検出手段と、
前記複数の焦点評価値に基づいて前記撮像画像に含まれる複数の被写体領域の被写体距離を算出する距離算出手段と、
前記撮像画像に変化があったか否かを検出する変化検出手段と、を有し、
前記距離算出手段は、前記被写体距離の初回の算出を行うために前記フォーカスレンズを移動させた後に、前記変化検出手段により撮像画像の変化が検出された場合、前記フォーカスレンズを再度移動させて複数の被写体領域の被写体距離を再度算出し、
前記初回に算出された複数の被写体領域の被写体距離が至近端から無限遠端の一部の範囲に存在していた場合、前記複数の被写体領域の被写体距離を再度算出するためのフォーカスレンズの駆動範囲は、前記複数の被写体領域の被写体距離の初回の算出を行ったときの前記フォーカスレンズの駆動範囲よりも狭く設定され、
前記複数の被写体領域の被写体距離を再度算出するためのフォーカスレンズの駆動範囲は、前記初回に算出された複数の被写体領域の被写体距離に対応する合焦位置を含む、
ことを特徴とする撮像装置。
【請求項６】
フォーカスレンズを駆動範囲内で移動させて、撮像画像に設定された複数の焦点検出領域の合焦位置を示す複数の焦点評価値を検出する焦点検出工程と、
前記複数の焦点評価値に基づいて前記撮像画像に含まれる複数の被写体領域の被写体距離を算出する距離算出工程と、
前記撮像画像に変化があったか否かを検出する変化検出工程と、を有し、
前記距離算出工程では、前記変化検出工程において撮像画像の変化が検出された場合、前記フォーカスレンズを再度移動させて複数の被写体領域の被写体距離を再度算出し、
前記複数の被写体領域の被写体距離を再度算出するためのフォーカスレンズの駆動範囲は、前回算出された前記複数の被写体領域の被写体距離の分布に応じて変化させており、
前記複数の被写体領域の被写体距離を再度算出するためのフォーカスレンズの駆動範囲は、前記前回算出された複数の被写体領域の被写体距離に対応する合焦位置を含む、
ことを特徴とする撮像装置の制御方法。
【請求項７】
フォーカスレンズを駆動範囲内で移動させて、撮像画像に設定された複数の焦点検出領域の合焦位置を示す複数の焦点評価値を検出する焦点検出工程と、
前記複数の焦点評価値に基づいて前記撮像画像に含まれる複数の被写体領域の被写体距離を算出する距離算出工程と、
前記撮像画像に変化があったか否かを検出する変化検出工程と、を有し、
前記距離算出工程では、前記被写体距離の初回の算出を行うために前記フォーカスレンズを移動させた後に、前記変化検出工程において撮像画像の変化が検出された場合、前記フォーカスレンズを再度移動させて複数の被写体領域の被写体距離を再度算出し、
前記初回に算出された複数の被写体領域の被写体距離が至近端から無限遠端の一部の範囲に存在していた場合、前記複数の被写体領域の被写体距離を再度算出するためのフォーカスレンズの駆動範囲は、前記複数の被写体領域の被写体距離の初回の算出を行ったときの前記フォーカスレンズの駆動範囲よりも狭く設定され、
前記複数の被写体領域の被写体距離を再度算出するためのフォーカスレンズの駆動範囲は、前記初回に算出された複数の被写体領域の被写体距離に対応する合焦位置を含む、
ことを特徴とする撮像装置の制御方法。
【請求項８】
撮像装置が備えるコンピュータに、請求項６または請求項７に記載の撮像装置の制御方法の各工程を実行させるためのプログラム。
【手続補正２】
【補正対象書類名】明細書
【補正対象項目名】００１４
【補正方法】変更
【補正の内容】
【００１４】
上述の目的は、フォーカスレンズを駆動範囲内で移動させて、設定された複数の焦点検出領域の合焦位置を示す複数の焦点評価値を検出する焦点検出手段と、複数の焦点評価値に基づいて撮像画像に含まれる複数の被写体領域の被写体距離を算出する距離算出手段と、撮像画像に変化があったか否かを検出する変化検出手段と、を有し、距離算出手段は、変化検出手段により撮像画像の変化が検出された場合、フォーカスレンズを再度移動させて複数の被写体領域の被写体距離を再度算出し、複数の被写体領域の被写体距離を再度算出するためのフォーカスレンズの駆動範囲は、前回算出された複数の被写体領域の被写体距離の分布に応じて決定され、複数の被写体領域の被写体距離を再度算出するためのフォーカスレンズの駆動範囲は、前回算出された複数の被写体領域の被写体距離に対応する合焦位置を含む、ことを特徴とする撮像装置によって達成される。
【手続補正３】
【補正対象書類名】明細書
【補正対象項目名】００４７
【補正方法】変更
【補正の内容】
【００４７】
Ｓ５０９でシステム制御部１１５は、ＡＦ処理部１０５を通じてフォーカスレンズ１０４の現在位置がスキャン終了位置（ここでは至近端に対応する位置）に等しいかを調べ、両者が等しい場合にはＳ５１１へ、そうでなければＳ５１０へそれぞれ処理を進める。
Ｓ５１０でシステム制御部１１５は、ＡＦ処理部１０５を通じてフォーカスレンズ１０４をスキャン終了方向へ向かって所定量だけ移動させた後、処理をＳ５０２に戻す。
【手続補正４】
【補正対象書類名】明細書
【補正対象項目名】００５５
【補正方法】変更
【補正の内容】
【００５５】
Ｓ６０７でシステム制御部１１５は中央Ｌ１×Ｌ２枠の１枠以上を含むようなＮ×ＭのＡＦ枠の配置の中に、△判定枠が所定枠数以上「かたまって」存在する場合があるかどうかを調べる。そして、システム制御部１１５は、そのような位置があればＳ６１３へ、なければＳ６０８へ処理を進める。図７（ｄ）では、例としてＬ１＝５、Ｌ２＝７（内側の太枠）、所定数を１０とする。Ｎ×Ｍの枠を内側の太枠内のＡＦ枠を１つ以上含むように移動させた際、Ｎ×Ｍの枠に含まれる△判定枠のかたまりを構成する△判定枠は最大でも６つであるため、所定枠数以上のかたまりは存在しない。
【手続補正５】
【補正対象書類名】明細書
【補正対象項目名】００７０
【補正方法】変更
【補正の内容】
【００７０】
＜被写体未検出時のＡＦ枠選択＞
図９は図５におけるＳ５１４の被写体未検出時のＡＦ枠選択を説明するフローチャートである。ここでは画面内の主被写体領域を特定して、その領域内で枠選択を行う。
図１０は本実施形態における被写体未検出時のＡＦ枠選択の例を説明するための模式図である。ここではＮ＝７、Ｍ＝９におけるＮ×Ｍ枠のＡＦ枠設定で、スキャン範囲を０〜３００、所定深度範囲を±１０とする。また、図５のＳ５１１における合焦判定では、各ＡＦ枠について図１０（ａ）に示すような結果が得られているものとする。なおスキャン範囲及び所定深度範囲の数値はフォーカスレンズ１０４の位置を表す数値である。ＡＦ処理部１０５が備えるフォーカスレンズ１０４の駆動用モータにステッピングモータを使用する場合の駆動パルス数に相当し、値が大きい方が至近側とする。
【手続補正６】
【補正対象書類名】明細書
【補正対象項目名】００７１
【補正方法】変更
【補正の内容】
【００７１】
まずＳ９０１でシステム制御部１１５は各ＡＦ枠における焦点評価値のピーク位置（以下ＰｅａｋＰｏｓと記す）を算出して記憶しておく。ここで例えば、各ＡＦ枠において図１０（ｂ）に示すようなピーク位置算出結果が得られたものとする。ピーク位置は上述した駆動パルス数によって表されている。
【手続補正７】
【補正対象書類名】明細書
【補正対象項目名】０１１４
【補正方法】変更
【補正の内容】
【０１１４】
＜撮影処理＞
図１６は、図２のＳ２１２で実施する撮影処理の動作を説明するフローチャートである。ここでは、図２のＳ２０８におけるブラケット判定の結果および図１４のＳ１４０７の本露光用ＡＦ処理における等距離判定による判定結果に応じて適切な撮影処理や画像処理を実施する。
【手続補正８】
【補正対象書類名】明細書
【補正対象項目名】０１１７
【補正方法】変更
【補正の内容】
【０１１７】
Ｓ１６０４でシステム制御部１１５はＳ１６０３で決定したフォーカス位置においてＡＦブラケット撮影を行う。ここでは、等距離判定の結果、等距離シーンでない、すなわち画面内の被写体距離に差があるシーンと判定されているため、ＡＦブラケットが効果的なシーンである。
【手続補正９】
【補正対象書類名】図面
【補正対象項目名】図７
【補正方法】変更
【補正の内容】
【図７】
2014126612.tif 000001
【手続補正１０】
【補正対象書類名】図面
【補正対象項目名】図１２
【補正方法】変更
【補正の内容】
【図１２】
2014126612.tif 000002
【手続補正１１】
【補正対象書類名】図面
【補正対象項目名】図１９
【補正方法】変更
【補正の内容】
【図１９】
2014126612.tif 000003